(57)【要約】【課題】放送時間等の変更により録画予約の時間帯が重複した場合に他の録画装置（録画端末）を利用して録画予約番組を漏れなく録画可能な録画装置を提供する。【解決手段】レコーダ１０は、放送信号を受信可能な録画端末２０と接続する通信制御部１１３と、ユーザ操作に従って録画予約情報を生成する録画・予約制御部１０９と、生成した録画予約情報を記録するメモリ１１６とを備える。録画・予約制御部１０９は、メモリ１１６に記録した録画予約情報に応じた放送番組間で時間帯の重複を検出し、通信制御部１１３は、重複が検出された場合、録画端末２０に重複通知を送信する。重複した放送番組のいずれか一方を録画端末２０に録画する。【選択図】図４
2008109169.tif 000002
【特許請求の範囲】
【請求項１】
放送信号を受信可能な録画装置であって、
放送信号を受信可能な他の録画装置と接続する接続手段と、ユーザ操作に従って録画予約情報を生成する録画予約情報生成手段と、該生成した録画予約情報を記録する録画予約情報記録手段と、該記録した録画予約情報に応じた放送番組間で時間帯の重複を検出する重複検出手段と、該重複検出手段により重複が検出された場合、前記他の録画装置に重複通知を送信する重複通知送信手段とを備え、
前記重複した放送番組のいずれか一方を前記他の録画装置に録画可能としたことを特徴とする録画装置。
【請求項２】
請求項１に記載の録画装置において、前記他の録画装置へ録画予約設定画面を送信する録画予約設定画面送信手段を備え、
前記他の録画装置は、前記録画予約設定画面から入力される録画予約設定を前記録画装置へ送信し、
前記録画装置は、前記他の録画装置からの録画予約設定に基づいて前記録画予約情報記録手段の録画予約情報を変更することを特徴とする録画装置。
【請求項３】
請求項１又は２に記載の録画装置において、前記他の録画装置へ録画番組の転送を要求することにより前記他の録画装置から録画番組を転送させる録画番組転送要求手段と、前記他の録画装置から転送された録画番組を記録する番組記録手段とを備えたことを特徴とする録画装置。
【請求項４】
請求項３に記載の録画装置において、該録画装置により受信可能な放送番組に応じた番組情報を取得する番組情報取得手段と、前記他の録画装置に録画された放送番組と同じ再放送番組を前記番組情報から検索する再放送番組検索手段とを備え、該検索した再放送番組を前記番組記録手段に録画することを特徴とする録画装置。
【請求項５】
請求項１乃至４のいずれか１項に記載の録画装置において、前記録画予約情報記録手段に記録された録画予約情報毎に優先順位を設定する優先順位設定手段を備え、
放送番組の時間帯が重複したときに、前記優先順位設定手段で設定された優先順位の高い放送番組を前記録画装置で録画することを特徴とする録画装置。
【請求項６】
請求項１乃至４のいずれか１項に記載の録画装置において、前記録画装置及び前記他の録画装置に優先順位を設定する優先順位設定手段を備え、
放送番組の時間帯が重複したときに、前記優先順位設定手段で設定された優先順位の高い録画装置から順番に録画することを特徴とする録画装置。
【請求項７】
請求項１乃至６のいずれか１項に記載の録画装置において、前記他の録画装置は、１セグメント放送信号を受信する機能を備えた録画端末であることを特徴とする録画装置。
【請求項８】
請求項１乃至７のいずれか１項に記載の録画装置において、前記接続手段は、前記他の録画装置とネットワークを介して接続することを特徴とする録画装置。
【請求項９】
放送信号を受信可能な複数の録画装置が接続された録画システムであって、
一方の録画装置は、ユーザ操作に従って録画予約情報を生成する録画予約情報生成手段と、該生成した録画予約情報を記録する録画予約情報記録手段と、該記録した録画予約情報に応じた放送番組間で時間帯の重複を検出する重複検出手段と、該重複検出手段により重複が検出された場合、他方の録画装置に重複通知を送信する重複通知送信手段とを備え、
前記他方の録画装置は、前記一方の録画装置から重複通知を受け付ける重複通知受付手段と、該受け付けた重複通知に含まれるアドレス情報から前記一方の録画装置にアクセスし該一方の録画装置から録画予約設定画面を取得する録画予約設定画面取得手段とを備え、
前記重複した放送番組のいずれか一方を前記他方の録画装置に録画可能としたことを特徴とする録画システム。
【請求項１０】
請求項９に記載の録画システムにおいて、前記一方の録画装置は、前記他方の録画装置へ録画予約設定画面を送信する録画予約設定画面送信手段を備え、
前記他方の録画装置は、前記録画予約設定画面から入力される録画予約設定を前記一方の録画装置へ送信し、
前記一方の録画装置は、前記他方の録画装置からの録画予約設定に基づいて前記録画予約情報記録手段の録画予約情報を変更することを特徴とする録画システム。
【請求項１１】
請求項９又は１０に記載の録画システムにおいて、前記一方の録画装置は、前記他方の録画装置へ録画番組の転送を要求することにより前記他方の録画装置から録画番組を転送させる録画番組転送要求手段と、前記他方の録画装置から転送された録画番組を記録する番組記録手段とを備えたことを特徴とする録画システム。
【請求項１２】
請求項１１に記載の録画システムにおいて、前記一方の録画装置は、該録画装置により受信可能な放送番組に応じた番組情報を取得する番組情報取得手段と、前記他方の録画装置に録画された放送番組と同じ再放送番組を前記番組情報から検索する再放送番組検索手段とを備え、該検索した再放送番組を前記番組記録手段に録画することを特徴とする録画システム。
【請求項１３】
請求項９乃至１２のいずれか１項に記載の録画システムにおいて、前記一方の録画装置は、前記録画予約情報記録手段に記録された録画予約情報毎に優先順位を設定する優先順位設定手段を備え、
放送番組の時間帯が重複したときに、前記優先順位設定手段で設定された優先順位の高い放送番組を前記一方の録画装置で録画することを特徴とする録画システム。
【請求項１４】
請求項９乃至１２のいずれか１項に記載の録画システムにおいて、前記一方の録画装置は、前記複数の録画装置に優先順位を設定する優先順位設定手段を備え、
放送番組の時間帯が重複したときに、前記優先順位設定手段で設定された優先順位の高い録画装置から順番に録画することを特徴とする録画システム。
【請求項１５】
請求項９乃至１４のいずれか１項に記載の録画システムにおいて、前記他方の録画装置は、１セグメント放送信号を受信する機能を備えた録画端末であることを特徴とする録画システム。
【請求項１６】
請求項９乃至１５のいずれか１項に記載の録画システムにおいて、前記複数の録画装置は、ネットワークを介して接続されていることを特徴とする録画システム。
【発明の詳細な説明】
【技術分野】
【０００１】
本発明は、録画装置及び録画システム、より詳細には、放送時間等の変更により録画予約の時間帯が重複した場合に他の録画装置（録画端末）を利用して録画予約番組を漏れなく録画可能な録画装置及び該装置を備えた録画システムに関する。
【背景技術】
【０００２】
デジタル放送等のチューナ機能を備えたＤＶＤレコーダやＨＤＤレコーダなどにおいて、１チューナ機の場合、放送時間の変更等により録画予約の重複が発生すると、いずれか一方の放送番組だけが録画され、他方の放送番組は録画できないことになる。例えば、ＡテレビのＰＭ１０時〜１１時の時間帯に放送される番組Ｘと、ＢテレビのＰＭ１１時〜１２時の時間帯に放送される番組Ｙとを録画予約した場合を想定する。この際、番組Ｘの放送時間帯が野球中継延長などによりＰＭ１０時３０分〜１１時３０分に変更されてしまうと、番組Ｘと番組ＹのＰＭ１１時〜１１時３０分の時間帯が重複することになる。
【０００３】
上記時間帯の重複を解消するためには、番組Ｘと番組Ｙのいずれか一方を録画し、他方の録画予約を取り消すか、あるいは、番組Ｘの一部（ＰＭ１０時３０分〜１１時）と番組Ｙの全て（ＰＭ１１時〜１２時）を録画するかを選択する必要がある。いずれの場合にしても、放送時間の変更等により録画予約した番組の時間帯が重複したときに、両方の番組を漏れなく録画することはできなかった。
【０００４】
上記のような番組の編成変更に伴う録画予約時間の重複を検出、通知し、所望の番組を録画可能な録画予約システムが提案されている（例えば、特許文献１参照）。この特許文献１に記載の録画装置によれば、録画予約している番組の編成が変更され、それに合わせて予約情報を変更する際に録画予約時間帯が重複した場合、その情報を遠隔地のパソコン等にＷＡＮを介して通知し、通知を受けたパソコン等は録画予約を行う番組の選択情報を録画装置へ送信する。録画装置は選択情報に従って録画予約番組を決定し、ユーザ所望の番組を確実に予約するようにしている。
【特許文献１】特開２００２−１６８８９号公報
【発明の開示】
【発明が解決しようとする課題】
【０００５】
しかしながら、上記特許文献１に記載の録画予約システムの場合、放送時間帯が重複したときに、その重複通知を受けたユーザは所望の番組を１つだけ選択して録画できるが、やはり重複した他の番組の録画はあきらめるしかなかった。
【０００６】
本発明は、上述のごとき実情に鑑みてなされたものであり、放送時間等の変更により録画予約の時間帯が重複した場合に他の録画装置（録画端末）を利用して録画予約番組を漏れなく録画可能な録画装置及び該装置を備えた録画システムを提供すること、を目的とする。
【課題を解決するための手段】
【０００７】
上記課題を解決するために、本発明の第１の技術手段は、放送信号を受信可能な録画装置であって、放送信号を受信可能な他の録画装置と接続する接続手段と、ユーザ操作に従って録画予約情報を生成する録画予約情報生成手段と、生成した録画予約情報を記録する録画予約情報記録手段と、記録した録画予約情報に応じた放送番組間で時間帯の重複を検出する重複検出手段と、重複検出手段により重複が検出された場合、他の録画装置に重複通知を送信する重複通知送信手段とを備え、重複した放送番組のいずれか一方を他の録画装置に録画可能としたことを特徴としたものである。
【０００８】
第２の技術手段は、第１の技術手段において、他の録画装置へ録画予約設定画面を送信する録画予約設定画面送信手段を備え、他の録画装置は、録画予約設定画面から入力される録画予約設定を録画装置へ送信し、録画装置は、他の録画装置からの録画予約設定に基づいて録画予約情報記録手段の録画予約情報を変更することを特徴としたものである。
【０００９】
第３の技術手段は、第１又は第２の技術手段において、他の録画装置へ録画番組の転送を要求することにより他の録画装置から録画番組を転送させる録画番組転送要求手段と、他の録画装置から転送された録画番組を記録する番組記録手段とを備えたことを特徴としたものである。
【００１０】
第４の技術手段は、第３の技術手段において、録画装置により受信可能な放送番組に応じた番組情報を取得する番組情報取得手段と、他の録画装置に録画された放送番組と同じ再放送番組を番組情報から検索する再放送番組検索手段とを備え、検索した再放送番組を番組記録手段に録画することを特徴としたものである。
【００１１】
第５の技術手段は、第１乃至第４のいずれか１の技術手段において、録画予約情報記録手段に記録された録画予約情報毎に優先順位を設定する優先順位設定手段を備え、放送番組の時間帯が重複したときに、優先順位設定手段で設定された優先順位の高い放送番組を録画装置で録画することを特徴としたものである。
【００１２】
第６の技術手段は、第１乃至第４のいずれか１の技術手段において、録画装置及び他の録画装置に優先順位を設定する優先順位設定手段を備え、放送番組の時間帯が重複したときに、優先順位設定手段で設定された優先順位の高い録画装置から順番に録画することを特徴としたものである。
【００１３】
第７の技術手段は、第１乃至第６のいずれか１の技術手段において、他の録画装置は、１セグメント放送信号を受信する機能を備えた録画端末であることを特徴としたものである。
【００１４】
第８の技術手段は、第１乃至第７のいずれか１の技術手段において、接続手段は、他の録画装置とネットワークを介して接続することを特徴としたものである。
【００１５】
第９の技術手段は、放送信号を受信可能な複数の録画装置が接続された録画システムであって、一方の録画装置は、ユーザ操作に従って録画予約情報を生成する録画予約情報生成手段と、該生成した録画予約情報を記録する録画予約情報記録手段と、該記録した録画予約情報に応じた放送番組間で時間帯の重複を検出する重複検出手段と、該重複検出手段により重複が検出された場合、他方の録画装置に重複通知を送信する重複通知送信手段とを備え、前記他方の録画装置は、前記一方の録画装置から重複通知を受け付ける重複通知受付手段と、該受け付けた重複通知に含まれるアドレス情報から前記一方の録画装置にアクセスし該一方の録画装置から録画予約設定画面を取得する録画予約設定画面取得手段とを備え、前記重複した放送番組のいずれか一方を前記他方の録画装置に録画可能としたことを特徴としたものである。
【００１６】
第１０の技術手段は、第９の技術手段において、前記一方の録画装置は、前記他方の録画装置へ録画予約設定画面を送信する録画予約設定画面送信手段を備え、前記他方の録画装置は、前記録画予約設定画面から入力される録画予約設定を前記一方の録画装置へ送信し、前記一方の録画装置は、前記他方の録画装置からの録画予約設定に基づいて前記録画予約情報記録手段の録画予約情報を変更することを特徴としたものである。
【００１７】
第１１の技術手段は、第９又は第１０の技術手段において、前記一方の録画装置は、前記他方の録画装置へ録画番組の転送を要求することにより前記他方の録画装置から録画番組を転送させる録画番組転送要求手段と、前記他方の録画装置から転送された録画番組を記録する番組記録手段とを備えたことを特徴としたものである。
【００１８】
第１２の技術手段は、第１１の技術手段において、前記一方の録画装置は、その録画装置により受信可能な放送番組に応じた番組情報を取得する番組情報取得手段と、他方の録画装置に録画された放送番組と同じ再放送番組を番組情報から検索する再放送番組検索手段とを備え、検索した再放送番組を番組記録手段に録画することを特徴としたものである。
【００１９】
第１３の技術手段は、第９乃至第１２のいずれか１の技術手段において、一方の録画装置は、録画予約情報記録手段に記録された録画予約情報毎に優先順位を設定する優先順位設定手段を備え、放送番組の時間帯が重複したときに、優先順位設定手段で設定された優先順位の高い放送番組を一方の録画装置で録画することを特徴としたものである。
【００２０】
第１４の技術手段は、第９乃至第１２のいずれか１の技術手段において、一方の録画装置は、複数の録画装置に優先順位を設定する優先順位設定手段を備え、放送番組の時間帯が重複したときに、優先順位設定手段で設定された優先順位の高い録画装置から順番に録画することを特徴としたものである。
【００２１】
第１５の技術手段は、第９乃至第１４のいずれか１の技術手段において、他方の録画装置は、１セグメント放送信号を受信する機能を備えた録画端末であることを特徴としたものである。
【００２２】
第１６の技術手段は、第９乃至第１５のいずれか１の技術手段において、複数の録画装置は、ネットワークを介して接続されていることを特徴としたものである。
【発明の効果】
【００２３】
本発明によれば、放送時間等の変更により録画予約の時間帯が重複した場合に他の録画装置（録画端末）を利用することにより、重複した録画予約番組を漏れなく録画することができる。
【発明を実施するための最良の形態】
【００２４】
以下、添付図面を参照しながら、本発明の録画装置及び録画システムに係る好適な実施の形態について説明する。
【００２５】
図１〜図３は、本発明の一実施形態に係る録画システムの構成例を示す図である。図中、１は公衆電話回線網やＩＳＤＮ、移動体通信網、ケーブルテレビ網などのワイド・エリア・ネットワーク（以下、ＷＡＮ）である。２はＷＡＮ１に接続された機器間で電子メールの送受信を行うためのメールサーバである。３はＷＡＮ１との回線交換機能を有する移動体通信網の中継局である。１０はチューナ機能、録画機能を備えた録画装置（以下、レコーダ）である。２０はチューナ機能、録画機能を備えた録画端末である。
【００２６】
レコーダ１０としては、例えば、大容量の記録媒体を備えたＨＤＤレコーダ、ＤＶＤレコーダなどが挙げられる。また、録画端末２０としては、例えば、パーソナルコンピュータ（ＰＣ）２０１、カーナビゲーション装置（カーナビ）２０２、携帯電話機２０３、携帯情報端末（ＰＤＡ：Personal Digital Assistant）２０４などが挙げられる。
【００２７】
レコーダ１０は、ＷＡＮ１を介してメールサーバ２、ＰＣ２０１、中継局３と接続され、さらに、中継局３を介してカーナビ２０２、携帯電話機２０３、ＰＤＡ２０４と通信可能に接続される。レコーダ１０は、メールサーバ２を介して電子メールを送信する機能を備え、録画端末２０の電子メールアドレスを指定して電子メールを送信することができる。
【００２８】
録画端末２０は、携帯端末向けの地上波デジタル放送である１セグメント放送を受信する機能を備えるようにしてもよい。最近の地上波デジタル放送は、１チャンネル当り約６ＭＨｚの伝送帯域幅を１３のセグメントに分割し、その中央の１セグメントを携帯端末用として放送し、他の１２セグメントをＨＤＴＶ（ハイビジョン）放送用に使用している。１セグメント放送は、記録容量が小さい携帯端末向けであるために、解像度を低くしてデータ量を小さくしている。このため、１２セグメント放送と比較して画質は良くないが、１２セグメント放送と同じ内容の地上波デジタル放送を携帯端末で録画することが可能となる。
【００２９】
図１において、レコーダ１０は、複数の放送番組が録画予約された状態で、放送時間帯の重複を検出すると、レコーダ１０に予め登録された録画端末２０の電子メールアドレスへ、録画予約の重複通知（電子メール）を送信する。送信された重複通知は、録画端末２０で受信され、当該ユーザは放送時間帯の重複を知ることができる。
【００３０】
ここで、レコーダ１０による録画予約及び録画予約の重複を検出する方法の例について説明する。
一般にデジタル放送では、放送局から所定期間分（最大約１ヶ月分）の番組情報が放送番組の映像や音声と一緒に周期的に伝送されてくる。この番組情報には、例えば、チャンネル、放送日、放送開始時刻、放送時間、番組名、番組ジャンル、番組概要、番組を特定する番組識別子などの情報が含まれる。
【００３１】
レコーダ１０は、上記番組情報を用いて電子番組表（ＥＰＧ：Electronic Program Guide）を作成する。このＥＰＧはレコーダ１０と接続されるテレビへ出力させることができる。ユーザは、リモコンあるいは本体操作部を操作してテレビにＥＰＧを表示させ、その中から録画したい番組（録画対象番組）を選択して録画予約を行うことができる。
【００３２】
ユーザが録画予約操作を行うと、録画対象番組の番組情報に含まれるチャンネル、放送日、放送開始時刻、放送時間が録画予約情報として記憶され、録画対象番組の録画予約が実現される。さらに、録画予約情報として録画対象番組の番組識別子を記憶しておいてもよい。これにより、放送局からの同じ番組識別子を持つ番組情報を取り込んで、既に記憶済みの録画予約情報と比較することができる。両者を比較して、番組の放送開始時刻、放送時間などが変更されていれば、これに合わせて記憶済みの録画予約情報を更新する。
【００３３】
すなわち、レコーダ１０は、ユーザがＥＰＧの内容に基づいて録画予約操作を行ってから、録画対象番組の録画が開始されるまでの間に、当該番組の変更された番組情報が送信されてきた場合、この変更番組情報の内容に基づいて当該番組の録画予約情報を更新する。この際、他の番組の録画予約がなされていると、録画予約変更された番組の放送時間帯が、他の録画予約番組の放送時間帯に重複しているかどうかを検出する。これにより、レコーダ１０は放送時間帯の重複を検出することができる。
【００３４】
図２において、録画端末２０は、ＷＷＷブラウザ機能を搭載し、ＨＴＭＬ（Hyper Text Markup Language）やＸＭＬ（eXtensible Markup Language）等のマークアップ言語で記述された録画予約設定画面を表示することができる。また、レコーダ１０は、放送時間帯の重複を検出したときに、この録画予約設定画面を自動的に生成する機能を備える。録画端末２０は、レコーダ１０からの重複通知を受け取ると、ユーザ操作に従ってＷＷＷブラウザ機能を実行してレコーダ１０にアクセスし、レコーダ１０の録画予約設定画面を表示する。なお、上記重複通知には、レコーダ１０の録画予約設定画面にアクセスするためのアドレス情報（ＵＲＬ）がリンクされており、ユーザがこのＵＲＬを選択決定することで、録画予約設定画面を録画端末２０の表示部に表示させることができる。
【００３５】
録画端末２０は、ユーザ操作により録画予約設定画面から入力される録画予約設定に基づいて、録画端末２０の内蔵チューナを用いて録画予約処理を実行し、上記録画予約設定をレコーダ１０へ送信する。そして、レコーダ１０は、録画端末２０からの録画予約設定に基づいて録画予約情報を変更する。
【００３６】
例えば、レコーダ１０において、例えば、ＡテレビのＰＭ１０時〜１１時の時間帯に放送される番組Ｘと、ＢテレビのＰＭ１１時〜１２時の時間帯に放送される番組Ｙとを録画予約した場合を想定する。この際、番組Ｘの放送時間帯が野球中継延長などによりＰＭ１０時３０分〜１１時３０分に変更されてしまうと、番組Ｘと番組ＹのＰＭ１１時〜１１時３０分の時間帯が重複する。この際、本実施形態によれば、レコーダ１０がＡテレビのＰＭ１０時３０分〜１１時３０分に放送される番組Ｘを録画し、録画端末２０がＢテレビのＰＭ１１時〜１２時に放送される番組Ｙを１セグメント放送で録画することが可能となり、放送時間帯が重複する番組を両方とも漏れなく録画することができる。なお、録画端末２０で録画する番組は、放送時間帯の全てに限らず、重複した時間帯だけとしてもよく、上記例では、ＰＭ１１時〜１１時３０分の時間帯だけ録画するようにしてもよい。
【００３７】
図３において、録画端末２０は、重複した番組のいずれか一方を１セグメント放送で録画する。そして、録画端末２０は、レコーダ１０からの転送要求に応じて、録画番組をレコーダ１０へ転送する。これにより、レコーダ１０は、レコーダ１０で受信・録画したＭＰＥＧ-２形式の録画番組と、録画端末２０で受信・録画した１セグメント放送のＭＰＥＧ-４（Ｈ２６４）形式の録画番組とを記憶する。このため、ユーザは、放送時間帯が重複した場合でも、録画対象番組を漏れなく録画し、その録画番組（すなわち、レコーダ１０及び録画端末２０で録画した番組）をレコーダ１０に接続されたテレビで視聴することができる。
【００３８】
しかし、前述したように、１セグメント放送の場合、解像度が低いため、画質面では十分とは言えないという問題がある。ユーザによっては番組を１セグメント放送で録画したが、どうしても高画質な状態で残しておきたいケースが考えられる。そこで、レコーダ１０あるいは録画端末２０が、録画端末２０で録画した１セグメント放送の番組と同じ再放送番組をＥＰＧから検索し、その結果、再放送番組が検索された場合には、レコーダ１０が再放送番組を解像度の高いＭＰＥＧ-２形式で録画するようにしてもよい。
【００３９】
図４は、本発明に係るレコーダ１０の構成例を示すブロック図である。図中、レコーダ１０は、アンテナ１０１、チューナ部１０２、復調部１０３、信号分離部１０４、映像・音声処理部１０５、データ処理部１０６、画像表示処理部１０７、番組情報制御部１０８、録画・予約制御部１０９、録画部１１０、記録媒体１１１、操作制御部１１２、通信制御部１１３、Ｗｅｂサービス処理部１１４、接続Ｉ／Ｆ１１５、及びメモリ１１６を備える。
【００４０】
チューナ部１０２は、本発明の番組情報取得手段に相当し、ＢＳデジタル放送、ＣＳデジタル放送、地上波デジタル放送などの放送信号をアンテナ１０１を介して受信する。復調部１０３は、チューナ部１０２で受信した放送信号を復調し、多重化されたＴＳ（Transport Stream）を取り出す。信号分離部１０４は、復調部１０３からのＴＳを映像（ＭＰＥＧ-２形式）、音声（ＭＰＥＧ-２ ＡＡＣ形式）、及び番組情報に分離し、映像・音声のＴＳを映像・音声処理部１０５へ出力し、番組情報をデータ処理部１０６へ出力する。
【００４１】
ここで、テレビ視聴の場合、映像・音声処理部１０５は、信号分離部１０４からの映像・音声のＴＳを復号してアナログ信号に変換し、映像・音声のアナログ信号を画像表示処理部１０７に出力する。画像表示処理部１０７は、表示装置であるテレビと接続され、映像・音声処理部１０５で復号された映像・音声のアナログ信号をテレビから出力させる。一方、録画の場合、映像・音声処理部１０５は、信号分離部１０４からの映像・音声のＴＳを録画部１１０へ出力する。録画部１１０は、映像・音声処理部１０５からの映像・音声のＴＳを、録画・予約制御部１０９からの制御に従って、ＨＤＤ（ハードディスク）やＤＶＤなどの記録媒体１１１に録画する。この記録媒体１１１は、本発明の番組記録手段に相当する。
【００４２】
また、データ処理部１０６は、信号分離部１０４からの番組情報をデコードして番組情報制御部１０８へ出力する。この番組情報は、前述したように、チャンネル、放送日、放送開始時刻、放送時間、番組名、番組ジャンル、番組概要、番組を特定する番組識別子などの情報が含まれる。番組情報制御部１０８は、データ処理部１０６からの番組情報をメモリ１１６に記憶する。
【００４３】
また、番組情報制御部１０８は、ユーザからのＥＰＧ表示の指示を受け付けると、メモリ１１６に記憶された番組情報に基づいてＥＰＧを作成し、このＥＰＧを画像表示処理部１０７へ渡す。画像表示処理部１０７は、番組情報制御部１０８からのＥＰＧを所定の表示フォーマットに加工してテレビ画面に表示出力する。なお、番組情報制御部１０８で作成されたＥＰＧはメモリ１１６に記憶するようにしてもよい。
【００４４】
録画・予約制御部１０９は、本発明の録画予約情報生成手段に相当し、ユーザからの録画予約の指示を受け付けると、録画予約対象番組の番組情報をメモリ１１６から検索し、その番組情報からチャンネル、放送日、放送開始時刻、放送時間、及び番組識別子を抽出し、これらを録画予約情報としてメモリ１１６に記憶し、録画予約処理を実行する。このメモリ１１６は、本発明の録画予約情報記録手段に相当する。そして、録画・予約制御部１０９は、録画予約した番組の録画開始時刻になると、録画部１１０を制御して、該当番組の録画処理を実行する。
【００４５】
また、録画・予約制御部１０９は、ユーザがＥＰＧの内容に基づいて録画予約操作を行ってから、録画対象番組の録画が開始されるまでの間に、当該番組の変更された番組情報が送信されてきた場合、この変更番組情報の内容に基づいて当該番組の録画予約情報を更新する。この際、他の番組の録画予約がなされていると、録画予約変更された番組の放送時間帯が、他の録画予約番組の放送時間帯に重複しているかどうかを検出する。録画・予約制御部１０９は、本発明の重複検出手段に相当し、放送時間帯の重複を検出すると、Ｗｅｂサービス処理部１１４を制御して、重複通知を録画端末２０へ送信する処理を実行する。
【００４６】
操作制御部１１２は、リモコンＲからの操作信号を受け付けてその操作内容を解析し、操作内容に応じて各部へ指示を与える。例えば、操作内容がＥＰＧ表示であれば、番組情報制御部１０８へＥＰＧ表示の指示を行い、操作内容が録画予約であれば、録画・予約制御部１０９へ録画予約の指示を行う。
【００４７】
Ｗｅｂサービス処理部１１４は、録画・予約制御部１０９により放送時間帯の重複が検出されたときに、重複通知のための電子メールを録画端末２０へ送信する処理を実行し、さらに、録画端末２０からのアクセスに応じて録画予約設定画面（Ｗｅｂページ）を録画端末２０へ提供する処理を実行する。通信制御部１１３は、本発明の接続手段に相当し、ＷＡＮ１を介して録画端末２０と通信可能に接続するためのプロトコルを確立し、電子メールやＷｅｂページの送信処理を制御する。Ｗｅｂサービス処理部１１４と通信制御部１１３は、本発明の重複通知送信手段あるいは録画予約設定画面送信手段に相当する。
【００４８】
接続Ｉ／Ｆ１１５は、ＩＥＥＥインタフェース、ＨＤＭＩインタフェース、ＵＳＢインタフェースなど、録画端末２０と直接接続するための接続手段である。上記例では、ネットワークを介して録画端末２０と接続する場合について説明したが、ユーザが自宅にいる場合などには、接続Ｉ／Ｆ１１５を使用して録画端末２０と有線で接続してもよい。
【００４９】
また、録画・予約制御部１０９は、本発明の優先順位設定手段に相当し、レコーダ１０のＯＳＤ画面などからのユーザ設定に従って、メモリ１１６に記録された録画予約情報毎に優先順位を設定するようにしてもよい。例えば、放送番組の時間帯が重複したときに、設定された優先順位の高い放送番組をレコーダ１０で録画し、優先順位の低い放送番組を録画端末２０で録画するなどの設定を行うことが可能となる。
【００５０】
また、録画・予約制御部１０９は、レコーダ１０のＯＳＤ画面などからのユーザ設定に従って、レコーダ１０及び録画端末２０に優先順位を設定するようにしてもよい。例えば、放送番組の時間帯が重複したときに、設定された優先順位の高い録画装置から順番に録画するなどの設定を行うことが可能となる。
【００５１】
図５は、本発明に係る録画端末２０の構成例を示すブロック図である。図中、録画端末２０は、アンテナ２０１、ワンセグチューナ部２０２、復調部２０３、信号分離部２０４、映像・音声処理部２０５、データ処理部２０６、画像表示処理部２０７、表示部２０８、番組情報制御部２０９、録画・予約制御部２１０、録画部２１１、記録媒体２１２、操作制御部２１３、通信制御部２１４、Ｗｅｂブラウザ部２１５、接続Ｉ／Ｆ２１６、メモリ２１７、及び操作部２１８を備える。
【００５２】
ワンセグチューナ部２０２は、１セグメント放送の放送信号をアンテナ２０１を介して受信する。復調部２０３は、ワンセグチューナ部２０２で受信した放送信号を復調し、多重化されたＴＳ（Transport Stream）を取り出す。信号分離部２０４は、復調部２０３からのＴＳを映像（ＭＰＥＧ-４形式）、音声（ＭＰＥＧ-２ ＡＡＣ形式）、及び番組情報に分離し、映像・音声のＴＳを映像・音声処理部２０５へ出力し、番組情報をデータ処理部２０６へ出力する。
【００５３】
ここで、テレビ視聴の場合、映像・音声処理部２０５は、信号分離部２０４からの映像・音声のＴＳを復号してアナログ信号に変換し、映像・音声のアナログ信号を画像表示処理部２０７に出力する。画像表示処理部２０７は、映像・音声処理部２０５で復号された映像・音声のアナログ信号を表示部２０８から出力させる。一方、録画の場合、映像・音声処理部２０５は、信号分離部２０４からの映像・音声のＴＳを録画部２１１へ出力する。録画部２１１は、映像・音声処理部２０５からの映像・音声のＴＳを、録画・予約制御部２１０からの制御に従って、ＨＤＤ（ハードディスク）やメモリカードなどの記録媒体２１２に録画する。
【００５４】
また、データ処理部２０６は、信号分離部２０４からの番組情報をデコードして番組情報制御部２０９へ出力する。この番組情報は、前述したように、チャンネル、放送日、放送開始時刻、放送時間、番組名、番組ジャンル、番組概要、番組を特定する番組識別子などの情報が含まれる。番組情報制御部２０９は、データ処理部２０６からの番組情報をメモリ２１７に記憶する。また、番組情報制御部２０９は、ユーザからのＥＰＧ表示の指示を受け付けると、メモリ２１７に記憶された番組情報に基づいてＥＰＧを作成し、このＥＰＧを画像表示処理部２０７へ渡す。画像表示処理部２０７は、番組情報制御部２０９からのＥＰＧを所定の表示フォーマットに加工して表示部２０８に表示出力する。なお、番組情報制御部２０９で作成されたＥＰＧはメモリ２１７に記憶するようにしてもよい。
【００５５】
録画・予約制御部２１０は、ユーザからの録画予約の指示を受け付けると、録画予約対象番組の番組情報をメモリ２１７から検索し、その番組情報からチャンネル、放送日、放送開始時刻、放送時間、及び番組識別子を抽出し、これらを録画予約情報としてメモリ２１７に記憶し、録画予約処理を実行する。そして、録画・予約制御部２１０は、録画予約した番組の録画開始時刻になると、録画部２１１を制御して、該当番組の録画処理を実行する。
【００５６】
操作制御部２１３は、入力キーを備えた操作部２１８からの操作信号を受け付けてその操作内容を解析し、操作内容に応じて各部へ指示を与える。例えば、操作内容がＥＰＧ表示であれば、番組情報制御部２０９へＥＰＧ表示の指示を行い、操作内容が録画予約であれば、録画・予約制御部２１０へ録画予約の指示を行う。
【００５７】
Ｗｅｂサービス処理部２１５は、レコーダ１０で放送時間帯の重複が検出されたときに、重複通知の電子メールをレコーダ１０から受信する処理を実行し、さらに、録画予約設定画面（Ｗｅｂページ）をレコーダ１０から受信する処理を実行する。通信制御部２１４は、ＷＡＮ１を介してレコーダ１０と通信可能に接続するためのプロトコルを確立し、電子メールやＷｅｂページの受信処理を制御する。Ｗｅｂサービス処理部２１５と通信制御部２１４は、本発明の重複通知受付手段あるいは録画予約設定画面取得手段に相当する。
【００５８】
接続Ｉ／Ｆ２１６は、ＩＥＥＥインタフェース、ＨＤＭＩインタフェース、ＵＳＢインタフェースなど、録画端末２０と直接接続するための接続手段である。上記例では、ネットワークを介して録画端末２０と接続する場合について説明したが、ユーザが自宅にいる場合などには、接続Ｉ／Ｆ２１６を使用してレコーダ１０と有線で接続してもよい。
【００５９】
前述したように、録画端末２０は、重複した番組のいずれか一方を１セグメント放送で記録媒体２１２に録画する。そして、録画端末２０は、レコーダ１０からの転送要求に応じて、録画・予約制御部２１０が記録媒体２１２から録画番組を抽出し、抽出した録画番組をレコーダ１０へ転送するようにしてもよい。レコーダ１０から転送要求を送信する場合、本発明の録画番組転送要求手段に相当する録画・予約制御部１０９が通信制御部１１３を制御して、録画番組の転送要求を録画端末２０へ送信する。
【００６０】
この場合、レコーダ１０の録画・予約制御部１０９が、録画端末２０から転送された録画番組を記録媒体１１１に記録する。これにより、レコーダ１０は、レコーダ１０で受信・録画したＭＰＥＧ-２形式の録画番組と、録画端末２０で受信・録画した１セグメント放送のＭＰＥＧ-４（Ｈ２６４）形式の録画番組とを記録する。このため、ユーザは、放送時間帯が重複した場合でも、録画対象番組を漏れなく録画し、その録画番組（すなわち、レコーダ１０及び録画端末２０で録画した番組）をレコーダ１０に接続されたテレビで視聴することができる。
【００６１】
さらに、レコーダ１０において、録画・予約制御部１０９が録画端末２０で録画した１セグメント放送の番組と同じ再放送番組を番組情報（ＥＰＧ）から検索し、その結果、再放送番組が検索された場合には、録画・予約制御部１０９が録画部１１０を制御して、再放送番組を解像度の高いＭＰＥＧ-２形式で録画するようにしてもよい。録画・予約制御部１０９は、本発明の再放送番組検索手段に相当する。
【００６２】
なお、再放送番組の検索は、ＥＰＧ機能を備える録画端末２０で実行し、その結果をレコーダ１０へ通知するようにしてもよい。この場合、録画・予約制御部２１０が録画端末２０で録画した１セグメント放送の番組と同じ再放送番組をＥＰＧから検索し、その結果、再放送番組が検索された場合、その旨をレコーダ１０へ通知し、この通知に基づいてレコーダ１０が再放送番組の録画処理を実行する。
【００６３】
図６は、レコーダ１０で録画予約した放送番組の時間帯が重複した状態の一例を説明するための図である。図６（Ａ）に示すように、資本テレビの午後１０：００〜午後１１：００の時間帯に放送される番組「サンタの神様」と、ＸＹＺテレビの午後１１：００〜午前０：００の時間帯に放送される番組「スポーツダイジェスト」とを録画予約した場合を想定する。この際、「サンタの神様」の放送時間帯が野球中継延長により午後１０：３０〜午後１１：３０に変更されてしまうと、図６（Ｂ）に示すように、「サンタの神様」と「スポーツダイジェスト」の午後１１：００〜午後１１：３０の時間帯が重複する。レコーダ１０は、時間帯の重複を検出すると、重複通知の電子メールを録画端末２０へ送信する。
【００６４】
図７は、録画端末２０で受信・表示される重複通知の電子メールの画面例を示す図である。録画端末２０は、レコーダ１０から重複通知の電子メールを受信すると、電子メール画面１００を表示する。この電子メール画面１００には録画予約設定用ＷｅｂページへのＵＲＬ１０１ａが含まれており、ユーザがこのＵＲＬ１０１ａを選択指定すると、ユーザ操作に従って、以下に示す図８〜図１０までの画面（Ｗｅｂページ）をレコーダ１０から受信して順次表示する。
【００６５】
図８〜図１０は、録画端末２０で受信・表示される録画予約設定用Ｗｅｂページの表示例を示す図である。
録画端末２０は、ユーザにより図７に示したＵＲＬ１０１ａが選択指定されると、図８に示す録画予約設定を入力するためのＷｅｂページ１０２ａをレコーダ１０から受信し、このＷｅｂページ１０２ａを画面表示する。Ｗｅｂページ１０２ａは、重複番組に対する処理項目として、「ワンセグ録画」、「予約変更」、「予約取消」を選択可能に表示する。ユーザがこれら処理項目のいずれかを選択すると、その処理内容に応じたＷｅｂページが表示される。例えば、「ワンセグ録画」が選択されると、図８に示すＷｅｂページ１０２ｂを画面表示する。このＷｅｂページ１０２ｂは、どの番組をワンセグ録画するかを設定するためのページで、午後１０：３０〜午後１１：３０の「サンタの神様」と午後１１：００〜午前０：００の「スポーツダイジェスト」を選択可能に表示する。
【００６６】
次に、録画端末２０は、図８に示したＷｅｂページ１０２ｂから、ユーザにより「スポーツダイジェスト」が選択され、「決定」が指示されると、図９に示すＷｅｂページ１０２ｃを画面表示する。Ｗｅｂページ１０２ｃは、Ｗｅｂページ１０２ｂで選択された「スポーツダイジェスト」の録画時間を選択するためのページで、「重複した時間のみ」と「この番組全て」を選択可能に表示する。このＷｅｂページ１０２ｃでユーザにより「重複した時間のみ」が選択され、「決定」が指示されると、図９に示すＷｅｂページ１０２ｄを画面表示する。Ｗｅｂページ１０２ｄは、「ワンセグ録画」の内容を確認・決定するためのページで、ユーザは、“ＸＹＺテレビ「スポーツダイジェスト」午後１１：００〜午後１１：３０”の内容でワンセグ録画予約をする場合、「決定」を指示する。
【００６７】
次に、録画端末２０は、図９に示したＷｅｂページ１０２ｄから、ユーザにより「決定」が指示されると、図１０に示すＷｅｂページ１０２ｅを画面表示する。Ｗｅｂページ１０２ｅは、「ワンセグ録画」の結果を通知するためのページで、“ＸＹＺテレビ「スポーツダイジェスト」午後１１：００〜午後１１：３０”の内容でワンセグ録画予約がなされた旨を通知するメッセージを画面表示する。このＷｅｂページ１０２ｅでユーザにより「ＯＫ」が指示されると、図１０に示すＷｅｂページ１０２ｆを画面表示する。Ｗｅｂページ１０２ｆは、レコーダ１０の録画予約情報の変更した旨を通知するためのページで、“資本テレビ「サンタの神様」午後１０：３０〜午後１１：３０、ＸＹＺテレビ「スポーツダイジェスト」午後１１：３０〜午前０：００”の内容で録画予約情報を変更した旨を通知するメッセージを画面表示する。
【００６８】
図１１，図１２は、録画端末２０で受信・表示される録画番組転送用Ｗｅｂページの表示例を示す図である。
録画端末２０は、「ワンセグ録画」による録画が完了した後、レコーダ１０から録画番組の転送要求を受信する。このとき、録画端末２０が録画番組を転送できる状態にあれば、図１１に示すＷｅｂページ１０３ａを画面表示する。このＷｅｂページ１０３ａは、レコーダ１０に録画番組を転送するかどうかユーザに確認するためのページで、録画した“ＸＹＺテレビ「スポーツダイジェスト」午後１１：００〜午後１１：３０”を転送するかどうかを確認するメッセージを画面表示する。このＷｅｂページ１０３ａでユーザにより「はい」が指示されると、図１１に示すＷｅｂページ１０３ｂを画面表示する。Ｗｅｂページ１０３ｂは、レコーダ１０の状態（録画中など）を通知するためのページで、録画中の場合、録画が終了次第、レコーダ１０が転送可能になったことを通知するメッセージを画面表示する。
【００６９】
次に、録画端末２０は、図１１に示したＷｅｂページ１０３ｂから、ユーザにより「ＯＫ」が指示されると、図１２に示すＷｅｂページ１０３ｃを画面表示する。Ｗｅｂページ１０３ｃは、レコーダ１０が転送可能になったことを通知するためのページで、“ＸＹＺテレビ「スポーツダイジェスト」午後１１：００〜午後１１：３０”を転送するかどうかを確認するメッセージを画面表示する。このＷｅｂページ１０３ｃでユーザにより「はい」が指示されると、図１２に示すＷｅｂページ１０３ｄを画面表示する。Ｗｅｂページ１０３ｄは、転送完了を通知するためのページで、レコーダ１０への転送が完了した旨を通知するメッセージを画面表示する。
【００７０】
ここで、１つの番組を部分的に録画端末２０で録画した場合、同一番組が２つの異なるデータフォーマットで録画されることになる。上記例によれば、ＸＹＺテレビの「スポーツダイジェスト」という番組の“午後１１：００〜午後１１：３０”の時間帯が録画端末２０のＭＰＥＧ-４（Ｈ．２６４）、また、“午後１１：３０〜午前０：００”の時間帯がレコーダ１０のＭＰＥＧ-２で録画されるため、録画端末２０からレコーダ１０へ録画番組（ワンセグ録画）を転送しただけでは同じ番組に対して２つの異なるデータフォーマットが存在することになる。従って、番組の録画後にこの「スポーツダイジェスト」を１時間通して見る場合、録画リストからの選択が２回必要となる。
【００７１】
そこで、録画端末２０でワンセグ録画した番組と、レコーダ１０で録画した番組を続けて見るために、レコーダ１０に、ＭＰＥＧ-２からＭＰＥＧ-４（あるいはその逆）へデータフォーマットを変換する機能と、分割された同一番組を結合する機能とを備えるようにしてもよい。これらの機能は、前述の図４に示した映像・音声処理部１０５により実現される。この映像・音声処理部１０５は、２つの異なるデータフォーマットに分割された同一番組を同じデータフォーマットに統一し、さらに、両者を結合する処理を行う。これにより、ユーザは録画リストから１回選択するだけで、当該番組を通して視聴することができる。
【００７２】
図１３〜図１５は、本発明に係るレコーダ１０側の処理の流れの一例を説明するためのフロー図である。なお、図１４は図１３に示すステップＳ４の処理を詳細に説明したもので、図１５は図１４のフローの続きである。
【００７３】
図１３において、まず、レコーダ１０は、録画予約した番組について放送時間が変更されたかどうかを判定し（ステップＳ１）、放送時間が変更された場合（ＹＥＳの場合）、録画時間が重複したかどうかを判定する（ステップＳ２）。また、ステップＳ１において、放送時間の変更がない場合（ＮＯの場合）、通常の録画処理を行う（ステップＳ５）。
【００７４】
次に、レコーダ１０は、ステップＳ２において、録画時間が重複した場合（ＹＥＳの場合）、重複数がチューナ数より多いか（重複数＞チューナ数であるか）どうかを判定する（ステップＳ３）。また、録画時間が重複しない場合（ＮＯの場合）、ステップＳ５に移行して、通常の録画処理を行う。
【００７５】
次に、レコーダ１０は、ステップＳ３において、重複数＞チューナ数である場合（ＹＥＳの場合）、録画端末２０を利用したワンセグ併用録画処理を実行する（ステップＳ３）。また、重複数＞チューナ数でない場合（ＮＯの場合）、ステップＳ５に移行して、通常の録画処理を行う。
【００７６】
次に、図１４に基づいて、上記ステップＳ４におけるワンセグ併用録画処理について説明する。
まず、レコーダ１０は、録画端末２０に警告情報・予約リスト（重複通知）を送信し（ステップＳ１１）、録画端末２０からの受信通知により、録画端末２０が指定時間までに重複通知を受信したかどうかを判定する（ステップＳ１２）。レコーダ１０は、指定時間までに録画端末２０から重複通知を受信した場合（ＹＥＳの場合）、録画端末２０でワンセグ録画をするかどうかを判定する（ステップＳ１３）。これは、録画端末２０からワンセグ録画予約通知を受け取ったかどうかで判定する。
【００７７】
次に、レコーダ１０は、ステップＳ１３において、録画端末２０でワンセグ録画をする場合（ＹＥＳの場合）、ワンセグで録画する番組の録画予約情報を変更し（ステップＳ１４）、通常の録画処理を行う（ステップＳ１５）。そして、図１５に示すステップＳ２１へ移行する。
【００７８】
また、レコーダ１０は、ステップＳ１２において、指定時間までに録画端末２０から重複通知を受信しなかった場合（ＮＯの場合）、レコーダ１０に設定された方法で録画予約情報の変更あるいは取消を行い（ステップＳ１６）、録画端末２０に変更／取消完了通知を送信した後（ステップＳ１８）、通常の録画処理を行う（ステップＳ１９）。
【００７９】
また、レコーダ１０は、ステップＳ１３において、録画端末２０でワンセグ録画をしない場合（ＮＯの場合）、録画端末２０から指定された番組の録画予約情報の変更あるいは取消を行い（ステップＳ１７）、録画端末２０に変更／取消完了通知を送信した後（ステップＳ１８）、通常の録画処理を行う（ステップＳ１９）。
【００８０】
図１５において、レコーダ１０は、ワンセグ録画が終了すると（ステップＳ２１）、録画端末２０からワンセグ録画終了通知があったかどうかを判定し（ステップＳ２２）、ワンセグ録画終了通知があった場合（ＹＥＳの場合）、録画端末２０に録画データの転送要求を送信する（ステップＳ２３）。また、ステップＳ２２において、ワンセグ録画終了通知がない場合（ＮＯの場合）、ステップＳ２２でワンセグ録画終了通知の受信待ち状態に移行する。
【００８１】
次に、レコーダ１０は、録画端末２０の転送準備ができたかどうかを判定し（ステップＳ２４）、録画端末２０の転送準備ができている場合（ＹＥＳの場合）、録画端末２０から録画データを転送（コピー）する（ステップＳ２５）。また、ステップＳ２４において、録画端末２０の転送準備ができていない場合（ＮＯの場合）、ステップＳ２４で転送準備ができるまで待機する。
【００８２】
次に、レコーダ１０は、録画端末２０から転送（コピー）完了通知を受信したかどうかを判定し（ステップＳ２６）、録画端末２０から転送完了通知を受信した場合（ＹＥＳの場合）、録画データの転送が成功したかどうかを判定する（ステップＳ２７）。また、ステップＳ２６において、録画端末２０から転送完了通知を受信していない場合（ＮＯの場合）、ステップＳ２６で転送完了通知の受信待ち状態に移行する。
【００８３】
次に、レコーダ１０は、ステップＳ２７において、録画データの転送が成功した場合（ＹＥＳの場合）、転送（コピー）完了通知を録画端末２０へ送信し（ステップＳ２８）、レコーダ１０の録画予約情報（リスト）を更新する（ステップＳ２９）。また、ステップＳ２７において、録画データの転送が成功しなかった場合（ＮＯの場合）、ステップＳ２３に移行して処理を繰り返す。
【００８４】
図１６，図１７は、本発明に係る録画端末２０側の処理の流れの一例を説明するためのフロー図である。なお、図１７は図１６のフローの続きである。
図１６において、録画端末２０は、レコーダ１０から録画重複警告を受信したかどうかを判定し（ステップＳ３１）、レコーダ１０から録画重複警告を受信した場合（ＹＥＳの場合）、その録画重複警告が指定時刻より前かどうかを判定する（ステップＳ３２）。また、ステップＳ３１において、レコーダ１０から録画重複警告を受信しない場合（ＮＯの場合）、ステップＳ３１で録画重複警告の受信待ち状態に移行する。
【００８５】
次に、録画端末２０は、ステップＳ３２において、録画重複警告が指定時刻より前の場合（ＹＥＳの場合）、ユーザが決定操作をしたかどうかを判定する（ステップＳ３３）。また、ステップＳ３２において、録画重複警告が指定時刻より後の場合（ＮＯの場合）、レコーダ１０から送信されてくる時間切れのお知らせを表示する（ステップＳ３４）。
【００８６】
次に、録画端末２０は、ステップＳ３３において、ユーザが決定操作をした場合（ＹＥＳの場合）、ワンセグ録画を使用するかどうかを判定する（ステップＳ３５）。また、ステップＳ３３において、ユーザが決定操作をしない場合（ＮＯの場合）、ステップＳ３２に戻り処理を繰り返す。
【００８７】
次に、録画端末２０は、ステップＳ３５において、ワンセグ録画を使用しない場合（ＮＯの場合）、重複番組の変更あるいは取消情報をレコーダ１０に送信し（ステップＳ３６）、レコーダ１０から変更／取消完了通知を受信したかどうかを判定する（ステップＳ３７）。レコーダ１０から変更／取消完了通知を受信した場合（ＹＥＳの場合）、変更／取消完了のお知らせを表示する（ステップＳ３８）。また、ステップＳ３７において、レコーダ１０から変更／取消完了通知を受信しない場合（ＮＯの場合）、ステップＳ３７で変更／取消完了通知の受信待ち状態に移行する。
【００８８】
次に、録画端末２０は、ステップＳ３５において、ワンセグ録画を使用する場合（ＹＥＳの場合）、選択した番組を録画可能であるかどうか判定する（ステップＳ３９）。選択した番組を録画可能である場合（ＹＥＳの場合）、選択した番組を録画予約し（ステップＳ４０）、録画予約設定（録画予約情報）をレコーダ１０に送信する（ステップＳ４１）。その後、図１７に示すステップＳ５１に移行する。また、ステップＳ３９において、選択した番組を録画できない場合（ＮＯの場合）、警告画面を表示し（ステップＳ４２）、ステップＳ３２に移行する。
【００８９】
図１７において、録画端末２０は、レコーダ１０から予約変更／取消完了通知を受信したかどうかを判定し（ステップＳ５１）、レコーダ１０から予約変更／取消完了通知を受信した場合（ＹＥＳの場合）、変更完了のお知らせを表示する（ステップＳ５２）。また、ステップＳ５１において、レコーダ１０から予約変更／取消完了通知を受信しない場合（ＮＯの場合）、ステップＳ５１で予約変更／取消完了通知の受信待ち状態に移行する。
【００９０】
次に、録画端末２０は、ワンセグ録画処理を実行し（ステップＳ５３）、録画終了すると（ステップＳ５４）、ワンセグ録画完了情報をレコーダ１０へ送信する（ステップＳ５５）。
【００９１】
次に、録画端末２０は、レコーダ１０から録画データの転送要求を受信したかどうかを判定し（ステップＳ５６）、レコーダ１０から転送要求を受信した場合（ＹＥＳの場合）、レコーダ１０側が転送可能な状態であるかどうかを判定する（ステップＳ５７）。また、ステップＳ５６において、レコーダ１０から転送要求を受信していない場合（ＮＯの場合）、ステップＳ５６で転送要求待ち状態に移行する。
【００９２】
次に、録画端末２０は、ステップＳ５７において、レコーダ１０側が転送可能な状態にある場合（ＹＥＳの場合）、レコーダ１０から送信されてくる転送準備のお知らせを表示し（ステップＳ５８）、録画端末２０の転送準備ができていれば、レコーダ１０に転送準備完了通知を送信する（ステップＳ５９）。また、レコーダ１０側が転送可能な状態にない場合（ＮＯの場合）、ステップＳ５７で（レコーダ１０からの）転送準備完了通知の受信待ち状態に移行する。そして、録画端末２０は、録画した番組の転送を開始し（ステップＳ６０）、転送が完了すると、レコーダ１０に転送完了通知を送信する（ステップＳ６１）。
【００９３】
次に、録画端末２０は、レコーダ１０から通知があったかどうかを判定し（ステップＳ６２）、レコーダ１０から通知があった場合（ＹＥＳの場合）、受信した通知が転送完了通知かどうかを判定する（ステップＳ６３）。また、ステップＳ６２において、レコーダ１０から通知がない場合（ＮＯの場合）、ステップＳ６２でレコーダ１０からの通知待ち状態に移行する。
【００９４】
次に、録画端末２０は、ステップＳ６３において、受信した通知が転送完了通知であった場合（ＹＥＳの場合）、転送完了のお知らせを表示する（ステップＳ６４）。また、ステップＳ６３において、受信した通知が転送完了通知でない場合（ＮＯの場合）、ステップＳ５６に移行して処理を繰り返す。
【００９５】
以上説明したように、本発明によれば、放送時間等の変更により録画予約の時間帯が重複した場合に他の録画装置（録画端末）を利用することにより、重複した録画予約番組を漏れなく録画することができる。
録画時間が２重、３重に重複した場合でも、録画端末が必要個数あれば、所望の番組を漏れなく録画することができる。
【図面の簡単な説明】
【００９６】
【図１】本発明の一実施形態に係る録画システムの構成例を示す図である。
【図２】本発明の一実施形態に係る録画システムの構成例を示す図である。
【図３】本発明の一実施形態に係る録画システムの構成例を示す図である。
【図４】本発明に係るレコーダの構成例を示すブロック図である。
【図５】本発明に係る録画端末の構成例を示すブロック図である。
【図６】レコーダで録画予約した放送番組の時間帯が重複した状態の一例を説明するための図である。
【図７】録画端末で受信・表示される重複通知の電子メールの画面例を示す図である。
【図８】録画端末で受信・表示される録画予約設定用Ｗｅｂページの表示例を示す図である。
【図９】録画端末で受信・表示される録画予約設定用Ｗｅｂページの他の表示例を示す図である。
【図１０】録画端末で受信・表示される録画予約設定用Ｗｅｂページの他の表示例を示す図である。
【図１１】録画端末で受信・表示される録画番組転送用Ｗｅｂページの表示例を示す図である。
【図１２】録画端末で受信・表示される録画番組転送用Ｗｅｂページの他の表示例を示す図である。
【図１３】本発明に係るレコーダ側の処理の流れの一例を説明するためのフロー図である。
【図１４】本発明に係るレコーダ側の処理の流れの一例を説明するためのフロー図である。
【図１５】本発明に係るレコーダ側の処理の流れの一例を説明するためのフロー図である。
【図１６】本発明に係る録画端末側の処理の流れの一例を説明するためのフロー図である。
【図１７】本発明に係る録画端末側の処理の流れの一例を説明するためのフロー図である。
【符号の説明】
【００９７】
１…ＷＡＮ、２…メールサーバ、３…中継局、１０…録画装置（レコーダ）、２０…録画端末、１０１，２０１…アンテナ、１０２…チューナ部、１０３，２０３…復調部、１０４，２０４…信号分離部、１０５，２０５…映像・音声処理部、１０６，２０６…データ処理部、１０７，２０７…画像表示処理部、１０８，２０９…番組情報制御部、１０９，２１０…録画・予約制御部、１１０，２１１…録画部、１１１，２１２…記録媒体、１１２，２１３…操作制御部、１１３，２１４…通信制御部、１１４，２１５…Ｗｅｂサービス処理部、１１５，２１６…接続Ｉ／Ｆ、１１６，２１７…メモリ、２０２…ワンセグチューナ部、２０８…表示部、２１８…操作部。
【図１】
2008109169.tif 000003
【図２】
2008109169.tif 000004
【図３】
2008109169.tif 000005
【図４】
2008109169.tif 000006
【図５】
2008109169.tif 000007
【図６】
2008109169.tif 000008
【図７】
2008109169.tif 000009
【図８】
2008109169.tif 000010
【図９】
2008109169.tif 000011
【図１０】
2008109169.tif 000012
【図１１】
2008109169.tif 000013
【図１２】
2008109169.tif 000014
【図１３】
2008109169.tif 000015
【図１４】
2008109169.tif 000016
【図１５】
2008109169.tif 000017
【図１６】
2008109169.tif 000018
【図１７】
2008109169.tif 000019